(57)【要約】  【課題】  ペットボトルの小さな口からボトル内に容易に収容することが出来て、しかもペットボトル内でのお茶成分の抽出が効率良くスムーズに行なえるペットボトル用ティーパックを提供する。  【解決手段】  細長い棒状の透水性を備えた袋体内に所定量の茶葉を収容するようにしたペットボトル用ティーパックにおいて、袋体内には、それぞれ独立した複数の茶葉収容室が長さ方向に連続して設けられ、これら複数の茶葉収容室に所定量の茶葉が分散して収容され、各茶葉収容室に収容される乾燥状態の茶葉の嵩は、茶葉収容室の容積の少なくとも５分の３以下であって、茶葉収容室には茶葉収容室の容積の少なくとも５分の２以上の容積の茶葉浮遊スペースが確保されている。  【選択図】  図３
2007076692.tif 000002
【特許請求の範囲】
【請求項１】
細長い棒状の透水性を備えた袋体内に所定量の茶葉を収容するようにしたペットボトル用ティーパックにおいて、袋体内には、それぞれ独立した複数の茶葉収容室が長さ方向に連続して設けられ、これら複数の茶葉収容室に所定量の茶葉が分散して収容されていることを特徴とするペットボトル用ティーパック。
【請求項２】
各茶葉収容室に収容される乾燥状態の茶葉の嵩は、茶葉収容室の容積の少なくとも５分の３以下であって、茶葉収容室には茶葉収容室の容積の少なくとも５分の２以上の容積の茶葉浮遊スペースが確保されていることを特徴とする請求項１に記載のペットボトル用ティーパック。
【請求項３】
茶葉収容室に収容される茶葉が粉末状であることを特徴とする請求項１または２に記載のペットボトル用ティーパック。
【発明の詳細な説明】
【技術分野】
【０００１】
本発明は、主として一般に市販されている口の小さなペットボトルを用いて飲料用茶を作るためのペットボトル用ティーパックに関するものである。
【背景技術】
【０００２】
近年、ジュースや炭酸飲料などの飲料水が入れられた市販のペットボトルを有効利用すべく、このペットボトルを用いて、お茶を出せるようにしたティーパックが開発されている。
【０００３】
このティーパックは、使用する市販のペットボトルの口が通常小さいことから、この小さなペットボトルの口からでも容易に出し入れが出来るようにするために、細い棒状の袋体内に茶葉を収容した構造のものとなっている。（特許文献１参照）
ところで、お茶成分の抽出を効率良く行なって美味しいお茶をいれるためには、茶葉を飲料水中に浮遊させて、飲料水中で浮かんだり沈んだりを自由に繰り返させるのが好ましいのであるが、細い棒状の袋体内に所定量の茶葉を全量収容した従来のティーパックでは、茶葉が袋体内で浮き沈みし難く、特に袋体の内底部近くに収容されている茶葉は、ほとんど浮き沈みの動作をしない。
【０００４】
そのため以上の従来のペットボトル用ティーパックでは、美味しいお茶を出すことが非常に難しいものであった。
【特許文献１】実用新案登録第３００１３９１号
【発明の開示】
【発明が解決しようとする課題】
【０００５】
本発明は以上の実情に鑑みて開発したものであって、目的とするところは、ペットボトルの小さな口からボトル内に容易に収容することが出来て、しかもペットボトル内でのお茶成分の抽出が効率良くスムーズに行なえるペットボトル用ティーパックを提供することにある。
【課題を解決するための手段】
【０００６】
以上の目的を達成するために、請求項１に記載の発明は、細長い棒状の透水性を備えた袋体内に所定量の茶葉を収容するようにしたペットボトル用ティーパックにおいて、袋体内には、それぞれ独立した複数の茶葉収容室が長さ方向に連続して設けられ、これら複数の茶葉収容室に所定量の茶葉が分散して収容されていることを特徴とするものである。
【０００７】
請求項２に記載の発明は、請求項１に記載のペットボトル用ティーパックにおいて、各茶葉収容室に収容される乾燥状態の茶葉の嵩は、茶葉収容室の容積の少なくとも５分の３以下であって、茶葉収容室には茶葉収容室の容積の少なくとも５分の２以上の容積の茶葉浮遊スペースが確保されていることを特徴とするものである。
【０００８】
また請求項３に記載の発明は、請求項１または２に記載のペットボトル用ティーパックの茶葉収容室に収容される茶葉が粉状であることを特徴とするものである。
【発明の効果】
【０００９】
請求項１に記載の発明によれば、お茶を出すのに必要な所定量の茶葉が各茶葉収容室に分散して収容され、しかも各茶葉収容室には茶葉浮遊スペースがそれぞれ確保されていることから、袋体がペットボトルの小さな口部からでも入れられるように細長い棒状となっているにもかかわらず、各茶葉収容室内において茶葉が自由に浮遊して、茶葉のジャンピングが円滑に行なわれるので、茶葉から旨みなどの各種成分が効率よくしかもスムーズに抽出されて、美味しいお茶を出すことが出来る。
【００１０】
請求項２に記載の発明よれば、請求項１に記載の発明の効果に加え、茶葉収容室に設けられた茶葉浮遊スペースが大きく確保されているので、請求項１に記載の発明の効果に加え、茶葉が各茶葉収容室内において大きく浮遊することが出来、より一層、美味しいお茶を出すことが出来る。
【００１１】
請求項３に記載の発明によれば、茶葉収容室に収容される茶葉が粉状であるので、請求項１まは２に記載の発明の効果に加え、茶葉からの旨みなどの各種成分の抽出がより一層短時間に行なえる。
【発明を実施するための最良の形態】
【００１２】
次に本発明にかかるペットボトル用ティーパックの一実施形態を説明する。
【００１３】
図４において符号１で示すペットボトル用ティーパックは、透水性を有し且つ柔軟な不織布から形成された袋体２から構成されている。
【００１４】
この袋体２は、ペットボトル３の細い口部３１から容易に出し入れができるように、全体が細長い棒状に形成されている。
【００１５】
具体的には、袋体２は、透水性を有するテープ状の不織布を長さ方向に二つ折りした上で、その下端部と上端部と二つ折りされた側端部とを熱圧着して、細長い棒状に形成されたものであって、袋体２の全長Ｌは、約４２ｃｍとしている。
【００１６】
またこの袋体２は、その下端部と上端部との間において二箇所でライン状に熱圧着されて、袋体２内にそれぞれ独立した３つの茶葉収容室２０が設けられている。
【００１７】
また以上の袋体２では、粉状にした茶葉４（通常、粉茶として市販されているもの）が茶葉収容室２０に収容されるに伴い、袋体２の横断面が、図２に示すように略楕円形となるようにし、各茶葉収容室２０の容積は、約３７ｃｍ3としている。
【００１８】
茶葉収容室２０に入れる茶葉４は、例えば、緑茶、むぎ茶、ウーロン茶、紅茶等であって、実施形態では、2リットルの茶飲料を作るのに必要とする粉状とした所定量（１５グラム）の緑茶の茶葉４が各茶葉収容室２０に分散して収容されている。従って各茶葉収容室２０には、それぞれ５グラムの茶葉４が収容されている。
【００１９】
各茶葉収容室２０に収容される乾燥状態の茶葉４の嵩は、茶葉収容室２０の容積のほぼ５分の２であって、各茶葉収容室２０には、茶葉収容室２０の容積の約５分の３の容積の茶葉浮遊スペース２１が確保されている。
【００２０】
一方、ペットボトル３は、２リットルの飲料水が入れられるタイブのものであって、口部３１が小さく、市販の清涼飲料が入れられていたものである。
【００２１】
以上の構成から成るペットボトル用ティーパック１でお茶を作るには、飲料水を入れたペットボトル３の口部３１からティーパック１をペットボトル３内に挿入すると共に、袋体２の上端部を、ペットボトル３の口部３１から外方に折り返して、この折り返し部分を口部３１とこの口部３１に螺合する蓋３２とで係止するのである。
【００２２】
これにより、各茶葉収容室２０に収容されている茶葉４から旨みなどの各種成分が飲料水に溶け出るのであるが、以上のティーパック１にあっては、お茶を出すのに必要な所定量の茶葉４が各茶葉収容室２０に分散して収容され、しかも各茶葉収容室２０には比較的大きな茶葉浮遊スペース２１がそれぞれ確保されていることから、袋体２に設けられる茶葉収容室２０が細長い棒状となっているにもかかわらず、各茶葉収容室２０内において、茶葉４が上下に大きくしかも自由に浮遊して、所謂茶葉４のジャンピングが円滑に行なわれるので、茶葉４から旨みなどの成分が効率よく抽出されて、美味しいお茶を出すことが出来るのである。
【００２３】
以上の実施形態では、袋体２に３つの茶葉収容室２０を設けたが、これに限定されるものではなく、ペットボトル３の大きさなどにより、茶葉収容室２０を２室としたり、4室若しくは５室としてもよく、例えば2リットルのペットボトルよりも一回り小さな1リットルのペットボトルに用いるティーパックでは、例えば袋体２の長さを前記した実施形態のものよりも短くして、茶葉収容室２０を２室設け、これら２室の茶葉収容室２０に1リットルの茶飲料を作るのに必要な量の茶葉４を分散して収容すればよい。
【００２４】
また図５に示すように、袋体２の上端部に上方に延びる延長片２２を一体形成して、ティーパック１をペットボトル３内に挿入した際に、この延長片２２を、ペットボトル３の口部３１から外方に折り返して、この折り返し部分を口部３１とこの口部３１に螺合する蓋３２とで係止するようにしてもよい。
【００２５】
また以上の実施形態では、茶葉収容室２０には粉状にした茶葉４（通常、粉茶として市販されているもの）を収容したが、これに限定されるものではなく、例えば一般的な茶葉を収容してもよい。
【図面の簡単な説明】
【００２６】
【図１】本発明にかかるペットボトル用ティーパックの一実施形態を示す正面図。
【図２】図１におけるＡ−Ａ線拡大断面図。
【図３】ペットボトル用ティーパックの縦断面図。
【図４】ティーパックをペットボトル内に入れた状態を示す説明図。
【図５】ペットボトル用ティーパックの別の実施形態を示す正面図。
【００２７】
１      ティーパック
２      袋体
２０    茶葉収容室
２１    茶葉浮遊醋ベース
２２    延長片
３      ペットボトル
３１    口部
４      茶葉
【図１】
2007076692.tif 000003
【図２】
2007076692.tif 000004
【図３】
2007076692.tif 000005
【図４】
2007076692.tif 000006
【図５】
2007076692.tif 000007